(57)【要約】【課題】プラグを差し込む際における使い勝手が良く、キャップを装着させた際の美観を確保でき、キャップの材質選択の幅を広げた携帯端末装置のキャップ装着構造を提供する。【解決手段】当該携帯端末装置に設けた閉塞対象穴にキャップを装着して塞ぐ携帯端末装置のキャップ装着構造において、キャップ（イヤホンキャップ２２）は略長方形をなし、キャップの一端側には、閉塞対象穴（装着穴２１ａ）の内部に設けた係合孔（係着孔２１ｃ）に係合する係合突起（係着部２２ｃ）を備え、閉塞対象穴を開閉する際には、キャップの他端側に力を加えて回転するようにした構成としてある。このようにすれば、イヤホンキャップの回転のみで閉塞対象穴を開閉できるので、閉塞対象穴を開閉する際の使い勝手が良い。【選択図】      図４
2004311693.tif 000002
【特許請求の範囲】
【請求項１】
携帯端末装置に設けた閉塞対象穴にキャップを装着して塞ぐ携帯端末装置のキャップ装着構造において、
前記キャップは略長方形をなし、該キャップの一端側には、前記閉塞対象穴の内部に設けた係合孔に係合する係合突起を備え、前記閉塞対象穴を開閉する際には、該キャップの他端側に力を加えて回転するようにしたことを特徴とする携帯端末装置のキャップ装着構造。
【請求項２】
請求項１記載の携帯端末装置のキャップ装着構造において、前記閉塞対象穴をキャップにより閉塞した場合に、該キャップを閉塞対象穴にロックするためのロック手段を備えたことを特徴とする携帯端末装置のキャップ装着構造。
【請求項３】
請求項２記載の携帯端末装置のキャップ装着構造において、前記ロック手段は、前記キャップの他端側側面部と該他端側側面部に対向する閉塞対象穴側面部との間に設けたことを特徴とする携帯端末装置のキャップ装着構造。
【請求項４】
請求項１〜請求項３記載の携帯端末装置のキャップ装着構造において、
前記閉塞対象穴は、前記キャップを、外部から当該携帯端末装置の中心部方向に押し込んだ場合に、押し込まれたキャップを受け入れる逃げ凹部を備えたことを特徴とする携帯端末装置のキャップ装着構造。
【請求項５】
請求項４記載の携帯端末装置のキャップ装着構造において、前記逃げ凹部を、前記ロック手段の近辺に設けたことを特徴とする携帯端末装置のキャップ装着構造。
【請求項６】
請求項４記載の携帯端末装置のキャップ装着構造において、前記逃げ凹部を、前記閉塞対象穴のほぼ中央部に設けたことを特徴とする携帯端末装置のキャップ装着構造。
【請求項７】
請求項１〜請求項６記載の携帯端末装置のキャップ装着構造において、
前記携帯端末装置は、携帯電話機であることを特徴とする携帯端末装置のキャップ装着構造。
【発明の詳細な説明】
【０００１】
【発明の属する技術分野】
本発明は、携帯端末装置のキャップ装着構造に関し、特に、プラグを差し込む際におけるキャップの使い勝手が良く、キャップをロック可能としつつキャップを装着させた際の美観を確保でき、キャップの材質選択の幅を広げた携帯端末装置のキャップ装着構造に関する。
【０００２】
【従来の技術】
一般に、携帯端末装置の一例としての携帯電話機は、イヤホンマイク・ジャックを備えており、該ジャックにイヤホンマイク・プラグを指し込み、イヤホンマイクにより、例えば電車の中で音楽を聴いたり、手を自由にして（ハンドフリー）、自動車の運転中であっても携帯電話機を手に持たずに通話が可能になる。
【０００３】
イヤホンマイク・ジャックは、例えば携帯電話機側面の奥内部に配設され、イヤホンマイクを使用しない場合は、イヤホンキャップを装着することにより、イヤホンマイク・ジャックを封止しておく。この封止の理由は、イヤホンマイク・ジャック内の金属コネクタが、塵埃や水等により接触不良を起こすのを防止するためである。
【０００４】
ここで、従来の携帯電話機のイヤホンキャップおよびその装着構造を、図面を参照しつつ説明する。
図７は、従来の折畳式携帯電話機の操作部のみの斜視図であって、（Ａ）はイヤホンキャップを装着した状態、（Ｂ）はイヤホンキャップを外した状態を示す。
図７（Ａ），（Ｂ）に示すように、操作部１００は操作部本体１０１の上面に多数のキー１０２を備え、操作部本体１０１の左側面に、細長で厚さ１ｍｍ程度のイヤホンキャップ１０３を装着してなる。
イヤホンキャップ１０３は、前述のようにイヤホンマイク・ジャック１０４を塵埃等から保護する機能を有し、材質は折り曲げ自在な弾性体等からなる。
【０００５】
そして、図７（Ｂ）に示すように、イヤホンキャップ１０３をほぼ直角に折り曲げてイヤホンマイク・ジャック１０４を露呈させ、図示省略のイヤホンやマイクが接続されたイヤホンマイク・プラグ１０５を差し込んで、ジャックとプラグを接続する。
また、１０３ａは、イヤホンキャップ１０３を折り曲げ易いように形成した溝、１０３ｂは、操作部本体１０１に形成した係合穴（図示省略）に係合し、イヤホンキャップ１０３を操作部本体１０１にしっかり装着しておくための係止突起である。
さらに、イヤホンキャップ１０３の端部に爪を引っかけて持ち上げ易いように、筐体側には爪を入れるための凹部（座繰り部１０６）が形成されている。
【０００６】
ここで、イヤホンキャップ１０３に類似の従来技術として、例えば、特許文献１，特許文献２が知られている。
特許文献１の提案は、「筐体が開口部を有し、該開口部がキャップにより閉塞される携帯用電子機器に於いて、筐体の内面に開口部を囲繞する様に囲いリブを形成し、切断されたキャップの一部が前記囲いリブにより携帯電話機に侵入することが阻止され、筐体を分解することなくキャップの一部を取出すことができ、キャップの交換作業が容易になる」というものである。
【０００７】
また、特許文献２の提案は、特許文献１の欠点（イヤホンキャップの係合部破片が装置本体内に落下する）を解決するためのものであって「携帯端末装置において、装着部と支持部とを有する取付孔が形成された筐体と、この取付孔に装着されるイヤホンキャップとを備え、筐体とイヤホンキャップは少なくともそのいずれか一方が弾性体で形成され、イヤホンキャップは取付孔との係合部を備え、この係合部は装着部に対しては着脱自在に構成され、支持部に対しては筐体から離脱する方向への動きが規制された状態で保持されるよう構成されたことを特徴とする」というものである。
【０００８】
【特許文献１】
特開平１０−２２６５４号公報（第２頁、第１図）
【特許文献２】
特開２００２−９９１１号公報（第５頁、第５図）
【０００９】
【発明が解決しようとする課題】
しかしながら、以上のような従来のイヤホンキャップには、以下のような問題点があった。
まず、図７（Ａ），（Ｂ）に示したイヤホンキャップでは、イヤホンキャップ１０３の端部に爪を引っかけて持ち上げるようにして開ける構造となっており、筐体側に爪を入れるための凹部（座繰り部）が設けられていた（図７の座繰り部１０６参照）。ところが、この凹部が、小さいと爪が挿入しづらくなり、大きいと携帯端末の外観を損ねるという解決困難な問題を生じさせていた。
また、イヤホンマイク・プラグ１０５を差し込む際に、イヤホンキャップ１０３を略９０°曲げて開状態にする。そして、この開状態をユーザの指で押さえて維持しつつ（図７（Ｂ））、イヤホンマイク・プラグ１０５を差し込まなければならないので、ユーザにとって、非常に使い勝手が悪かった。
また、ユーザが強くイヤホンキャップ１０３を引っ張って開状態にしてしまうと、溝１０３ａに折り癖が付いてしまい、イヤホンキャップ１０３の装着状態が不完全となり、操作部本体１０１の側面から浮いてしまうという欠点があった。
【００１０】
また、イヤホンキャップ１０３が操作部本体１０１から浮いてしまう状態を避ける為、イヤホンキャップ１０３に係止突起１０３ｂを設けて、強制的に操作部本体へ係止固定していた。しかし、係止突起１０３ｂの嵌合量が少ないとイヤホンキャップ１０３が操作部本体１０１から浮いてしまい、逆に係止突起１０３ｂの嵌合量が多いとイヤホンキャップ１０３が外れ難くなる。つまり、美観上のバラツキおよび使い勝手上のバラツキが発生しやすいという欠点があった。
さらには、イヤホンキャップ１０３は前述のように折り曲げて開閉動作を行う為、イヤホンキャップ１０３の材質として弾性体を使わなければならないという、設計上の制約条件があった。
【００１１】
一方、特許文献１及び特許文献２記載のイヤホンキャップでは、何れも閉塞対象穴をキャップで開閉する場合には、キャップを折り曲げて開閉しているため、開閉の際にキャップを折り曲げるための力が必要となり、使い勝手が悪く、指等に痛みが生じるおそれもあった。
さらに、以上のような各従来技術は、いずれも、キャップについてロックすることができず、キャップが不用意に開閉してしまうおそれもあった。
【００１２】
本発明は、前記問題を解決するためになされたものであり、プラグを差し込む際における使い勝手が良く、キャップをロック可能としつつキャップを装着させた際の美観を確保でき、キャップの材質選択の幅を広げた携帯端末装置のキャップ装着構造の提供を目的とする。
【００１３】
【課題を解決するための手段】
前記目的を達成するために請求項１記載の発明は、携帯端末装置に設けた閉塞対象穴にキャップを装着して塞ぐ携帯端末装置のキャップ装着構造において、前記キャップは略長方形をなし、該キャップの一端側には、前記閉塞対象穴の内部に設けた係合孔に係合する係合突起を備え、前記閉塞対象穴を開閉する際には、該キャップの他端側に力を加えて回転するようにした構成としてある。
【００１４】
このようにすれば、例えば図４（Ａ）〜（Ｃ）に示すように、イヤホンキャップ２２の一端側に係合突起（係着部２２ｃ）を設け、閉塞対象穴（装着穴２１ａ）に設けた係合孔（係着孔２１ｃ）に係合突起を係合しているので、閉塞対象穴を開閉する際には、イヤホンキャップ２２の他端（引掛切欠２２ａの近辺）にユーザの指で力を加えて回転させ、閉塞対象穴を開閉できる。即ち、イヤホンキャップの回転のみで閉塞対象穴を開閉できるので、閉塞対象穴をイヤホンキャップで開閉する際の使い勝手が良い。
また、このように回転のみでイヤホンキャップを開閉できる本発明では、従来のようにイヤホンキャップの端部に爪を引っかけるための凹部（座繰り部）を筐体側に設ける必要がなくなり、凹部が小さいと爪が入れづらく、大きいと美観を損ねるといった問題が一切生じなくなる。
【００１５】
次に請求項２記載の発明は、請求項１記載の携帯端末装置のキャップ装着構造において、前記閉塞対象穴をキャップにより閉塞した場合に、該キャップを閉塞対象穴にロックするためのロック手段を備えた構成としてある。
このようにすれば、例えば図４（Ａ）〜（Ｃ）に示すように、ロック手段としてイヤホンキャップ２２に係合凸部２２ｂを設け、本体側壁２１ｂに係合凹部２１ｄを設けているので、イヤホンキャップ２２を閉じた場合は、係合凸部２２ｂと係合凹部２１ｄとを係合させて、ロックすることができる。これにより、キャップが不用意に開閉することを防止できる。
【００１６】
次に請求項３記載の発明は、請求項２記載の携帯端末装置のキャップ装着構造において、前記ロック手段は、前記キャップの他端側側面部と該他端側側面部に対向する閉塞対象穴側面部との間に設けた構成としてある。
このようにすれば、例えば図４（Ａ）〜（Ｃ）に示すように、イヤホンキャップ２２の側面に係合凸部２２ｂを設け、本体側壁２１ｂの内部側面に係合凹部２１ｄを設けている。従って、イヤホンキャップ２２を閉じてロック状態にした場合は、イヤホンキャップ２２の外側面と本体側壁２１ｂの外側面とが一致するので（図４（Ａ）参照）、本体側壁とイヤホンキャップのロック状態の外から見た美観を、バラツキ無しに確保できる。
【００１７】
次に請求項４記載の発明は、請求項１〜請求項３記載の携帯端末装置のキャップ装着構造において、前記閉塞対象穴は、前記キャップを、外部から当該携帯端末装置の中心部方向に押し込んだ場合に、押し込まれたキャップを受け入れる逃げ凹部を備えた構成としてある。
このようにすれば、例えば図５（Ａ），（Ｂ）に示すように、閉塞対象穴（装着穴２１ａ）には逃げ凹部２１ｅを形成しているので、引掛切欠２２ａ近辺を押して、係合凸部２２ｂと係合凹部２１ｄのロック状態を解除することができる。
【００１８】
次に請求項５記載の発明は、請求項４記載の携帯端末装置のキャップ装着構造において、前記逃げ凹部を、前記ロック手段の近辺に設けた構成としてある。
このようにすれば、例えば図５（Ａ），（Ｂ）に示すように、閉塞対象穴（装着穴２１ａ）には逃げ凹部２１ｅを形成しているので、引掛切欠２２ａ近辺を押して、係合凸部２２ｂと係合凹部２１ｄのロック状態を解除することができる。
【００１９】
次に請求項６記載の発明は、請求項４記載の携帯端末装置のキャップ装着構造において、前記逃げ凹部を、前記閉塞対象穴のほぼ中央部に設けた構成としてある。
このようにすれば、例えば図６（Ａ），（Ｂ）に示すように、閉塞対象穴（装着穴２１ａ）の中央部に逃げ凹部２１ｆを形成しているので、イヤホンキャップ２２の中央部近辺を押して、係合凸部２２ｂと係合凹部２１ｄのロック状態を解除することができる。
【００２０】
次に請求項７記載の発明は、請求項１〜請求項６記載の携帯端末装置のキャップ装着構造において、前記携帯端末装置は、携帯電話機である構成としてある。このようにすれば、例えば図１，図２に示すように、イヤホンマイク・プラグ１０５を差し込む際における使い勝手が良く、イヤホンキャップ２２を装着させた際の美観を確保でき、イヤホンキャップ２２の設計上の材質選択の幅を広げたイヤホンキャップ２２の装着構造を提供できる。
【００２１】
【発明の実施の形態】
以下、本発明を図示の実施形態に基づいて説明する。なお、既に説明済みの部分には同一符号を付し、重複説明を省略する。
【００２２】
（１）第１の実施形態
まず、本発明の携帯端末装置のキャップ装着構造の第１の実施形態について説明する。
図１は本実施形態の携帯電話機（全体構成）にイヤホンキャップを装着した状態の斜視図、図２は携帯電話機（操作部のみ）のイヤホンキャップを開いた状態の斜視図である。
図１，図２に示すように、折畳式の携帯電話機ＫＤは、表示部１０と操作部２０とヒンジ部３０とを備えてなる。
表示部１０は液晶等からなり、文字，画像等を表示する。
ヒンジ部３０は、表示部１０と次に説明する操作部２０とを開閉自在に結合し、表示部１０と操作部２０とを開いた状態でロックする。
【００２３】
操作部２０は、操作部本体２１とイヤホンキャップ２２とキー１０２とを備えてなる。
操作部本体２１は、例えば左手の掌に載る大きさであり、厚さは約１０ｍｍである。
操作部本体２１の左側面には、イヤホンキャップ２２を装着する略長方形の装着穴２１ａが形成されており（後述）、この装着穴２１ａの奥にはイヤホンマイク・プラグ１０５を圧入接続するイヤホンマイク・ジャック１０４が配置されている。
イヤホンキャップ２２の表面には、次に説明する引掛切欠２２ａと係合凸部２２ｂとが形成されている。イヤホンキャップ２２の材質については、後述する。
【００２４】
次に、図３（Ａ）〜（Ｃ）および図４（Ａ）〜（Ｃ）を参照しつつ、イヤホンキャップの装着構造について詳細に説明する。
図３はイヤホンキャップの装着構造を構成する部品図であって、（Ａ）はイヤホンキャップの側面図、（Ｂ）はイヤホンキャップの正面図、（Ｃ）は本体側壁の装着穴の図１のＩ−Ｉ線に沿う断面図、（Ｄ）は装着穴のＩＩＩ−ＩＩＩ線に沿う一部断面を含む正面図である。
【００２５】
図３（Ａ），（Ｂ）に示すように、細長のイヤホンキャップ２２の大きさは、縦×横が約１７ｍｍ×７ｍｍ、厚さが約１ｍｍである。イヤホンキャップ２２の背面側左方には、次に説明する本体側壁２１ｂに設けた係着孔２１ｃに圧入する係着部２２ｃを突設形成する。係着部２２ｃには切欠２２ｄが形成してあり、係着孔２１ｃに圧入する際に切欠２２ｄが狭まり、圧入し易くしてある。
【００２６】
イヤホンキャップ２２の左端部側は半円状に形成し、右端部側には、次に説明する本体側壁２１ｂに設けた係合凹部２１ｄに係合する係合凸部２２ｂを形成する。係合凸部２２ｂの上面は平坦にし、下方に向けて滑らかに湾曲させる。また、イヤホンキャップ２２の前面には引掛切欠２２ａを形成し、ユーザがイヤホンキャップ２２を反時計方向に回転させる際に、この引掛切欠２２ａに例えば左手親指の先端を引掛けて回転させる（後述）。
【００２７】
次に、装着穴２１ａについて説明する。
図３（Ｃ），（Ｄ）に示すように、本体側壁２１ｂにはイヤホンキャップ２２を装着する装着穴２１ａを形成する。装着穴２１ａは深さがイヤホンキャップ２２の厚みと略同じであり、横幅はイヤホンキャップ２２の横幅より僅かに広く、縦幅はイヤホンキャップ２２の縦幅と同じである。
【００２８】
また、装着穴２１ａの左方に前記イヤホンキャップの係着部２２ｃを圧入する係着孔２１ｃを形成する。係着孔２１ｃの左下の装着穴２１ａの隅部には、丸みを持たせる。この丸みは前記イヤホンキャップ２２の左端部の半円と同一半径にする。このようにすれば、イヤホンキャップ２２を、係着部２２ｃを中心に回転させた場合に、スムーズに回転させることが可能となり、また、隙間から塵埃等の侵入を防止できる。
【００２９】
また、装着穴２１ａの右端部に段差を持たせた係合凹部２１ｄを形成する。係合凹部２１ｄの上部は平坦であり、下方に向けて湾曲させてある。即ち、前記イヤホンキャップ２２の係合凸部２２ｂと同一形状である。
このようにすれば、イヤホンキャップ２２を時計方向に回転させて装着穴２１ａに装着させる際にスムーズに装着させることが可能となり、イヤホンキャップ２２の係合凸部２２ｂの平坦部と装着穴２１ａの係合凹部２１ｄの平坦部とが噛み合うので、取り扱いの際の軽い衝撃程度では、外れることが無い。
【００３０】
次に本実施形態におけるイヤホンキャップの装着，開閉動作について、図４（Ａ）〜（Ｃ）を参照しつつ説明する。
図４はイヤホンキャップの装着構造を示す図であって、（Ａ）は本体側壁にイヤホンキャップを装着状態の図１のＩ−Ｉ線に沿う断面図、（Ｂ）は同じく装着状態のＩＶ−ＩＶ線に沿う一部断面を含む側面図、（Ｃ）は同じく装着状態の係合凸部と係合凹部の一部断面を含む拡大図である。
図４（Ａ）〜（Ｃ）に示すように、イヤホンキャップ２２の係着部２２ｃを、装着穴２１ａの係着孔２１ｃに圧入する。この圧入の際には切欠２２ｄが狭まり、また、切欠２２ｄの周囲には面取りを形成してあるので、容易に圧入することができる。
【００３１】
このイヤホンキャップ２２を係着孔２１ｃに圧入した状態で、イヤホンキャップ２２を、係着部２２ｃを回転中心にして時計方向に回転させ、イヤホンキャップ２２の係合凸部２２ｂが装着穴２１ａの係合凹部２１ｄに圧入するまで、押し込む。この際、係合凸部２２ｂは湾曲しているので、係合凹部２１ｄにスムーズに圧入することができる。
また、この圧入状態では、係合凸部２２ｂの平坦部と係合凹部２１ｄの平坦部とが互いに掛止状態（軽いロック状態）になるので、通常の携帯電話機の取り扱い程度の衝撃では、外れることが無い。更に図４（Ａ）に示すように、イヤホンキャップ２２を閉じてロック状態にした場合は、イヤホンキャップ２２の外側面と本体側壁２１ｂの外側面とが一致するので、イヤホンキャップ２２が浮いたりする事が無くなり、美観をバラツキ無しに確保できる。
【００３２】
逆に、装着状態（図４（Ｂ））からイヤホンキャップ２２を外すには、引掛切欠２２ａに例えば左手親指の先端を引掛け、指の摩擦力を利用して反時計方向に力を加えて回転させる。すると、係合凸部２２ｂと係合凹部２１ｄの掛止状態が開放され、イヤホンキャップ２２は反時計方向に回転し、イヤホンマイク・ジャック１０４が露呈する（図２参照）。
この露呈状態で、イヤホンマイク・プラグ１０５を挿入接続する。この図２に示した状態では、装着穴２１ａの係着孔２１ｃの直径を、係着部２２ｃの回転接触部より小さくしてあるので、イヤホンキャップ２２を操作部２２の平面に対して、略直角に維持することができる。
【００３３】
（２）第２の実施形態
次に、本発明の携帯端末装置のキャップ装着構造の第２の実施形態について説明する。
図５は本実施形態の作用を示す図であって、（Ａ）はイヤホンキャップと本体側壁とがロック状態にある場合の図１のＩ−Ｉ線に沿う断面図、（Ｂ）はロック状態を外した場合のＩ−Ｉ線に沿う断面図である。
図５（Ａ）に示すように、本体側壁２１ｂの右端部側には逃げ凹部２１ｅを形成し、係合凹部２１ｄは第１の実施形態の場合よりやや広くする。イヤホンキャップ２２の係合凸部２２ｂは第１の実施形態の場合と同一である。
【００３４】
そして、装着穴２１ａを開く場合は、図５（Ｂ）に示すように、引掛切欠２２ａの近傍を指で逃げ凹部２１ｅ側に押し込むと、係合凸部２２ｂと係合凹部２１ｄのロック状態が解除される。
このロック解除の状態でイヤホンキャップ２２を、係着部２２ｃを中心にして反時計方向に回転させ、図２に示したようにイヤホンマイク・ジャック１０４を露呈させる。
【００３５】
逆に、装着穴２１ａを閉じる場合には、イヤホンキャップ２２を、係着部２２ｃを回転中心にして時計方向に回転させ、イヤホンキャップ２２の係合凸部２２ｂが装着穴２１ａの係合凹部２１ｄに圧入するまで、押し込む。
このようにすれば、装着穴２１ａに対するイヤホンキャップ２２による開閉を、容易に片手で行うことが可能となる。
【００３６】
（３）第３の実施形態
さらに、本発明の携帯端末装置のキャップ装着構造の第３の実施形態について説明する。
図６は本実施形態の作用を示す図であって、（Ａ）はイヤホンキャップと本体側壁とがロック状態にある場合の図１のＩ−Ｉ線に沿う断面図、（Ｂ）はロック状態を外した場合のＩ−Ｉ線に沿う断面図である。
図６（Ａ）に示すように、本体側壁２１ｂの中央部には逃げ凹部２１ｆを形成する。係合凹部２１ｄおよびイヤホンキャップ２２の係合凸部２２ｂは第１の実施形態の場合と同一である。
【００３７】
そして、装着穴２１ａを開く場合は、図６（Ｂ）に示すように、中央部に設けた引掛切欠２２ａの近傍を指で逃げ凹部２１ｆ側に押し込むと、イヤホンキャップ２２は弓なりの形状となり、係合凸部２２ｂと係合凹部２１ｄのロック状態が解除される。このロック解除の状態でイヤホンキャップ２２を、係着部２２ｃを中心にして反時計方向に回転させ、図２に示したようにイヤホンマイク・ジャック１０４を露呈させる。
逆に、装着穴２１ａを閉じる場合には、イヤホンキャップ２２を、係着部２２ｃを回転中心にして時計方向に回転させ、イヤホンキャップ２２の係合凸部２２ｂが装着穴２１ａの係合凹部２１ｄに圧入するまで、押し込む。
このような構成にしても、装着穴２１ａに対するイヤホンキャップ２２による開閉を、容易に片手で行うことが可能となる。
【００３８】
以上、本発明の好ましい実施形態を示して説明したが、本発明に係る携帯端末装置のキャップ装着構造は、上述した実施形態にのみ限定されるものではなく、本発明の範囲で種々の変更実施が可能であることは言うまでもない。
上述の各実施形態では携帯電話機の場合を説明したが、これ以外の携帯可能な端末装置、例えばＰＤＡ（個人向け携帯情報端末）や音楽聴取用携帯端末等にも、本発明を使用可能であるのは勿論である。
また、前記各実施形態では携帯電話機のイヤホンキャップの場合を説明したが、例えば携帯電話機への小型キーボードの接続用コネクタ，ＵＳＢ端子等を収容した閉塞対象穴にも、本発明を使用可能であるのは勿論である。
【００３９】
さらに、前記各実施形態は、イヤホンキャップ２２を回転させる際にイヤホンキャップ２２を大きく変形させる必要がないので、イヤホンキャップの素材が弾性体に限定されることなく、硬質の樹脂素材を選択することも可能である。
ここに、一般に弾性体への塗装処理は困難であるが、樹脂材料へは塗装処理が容易に対応可能であり、表示部および操作部と同一の色調にすることが可能になり、非常にデザイン性に優れた携帯電話機や携帯端末装置とすることができる。
【００４０】
【発明の効果】
以上説明したように本発明によれば、以下の効果を発揮することができる。
請求項１記載の発明によれば、キャップの一端側に係合突起設け、閉塞対象穴に設けた係合孔に係合突起を係合しているので、閉塞対象穴を開閉する際には、キャップの他端にユーザの指で力を加えて回転させ、閉塞対象穴を開閉できる。
即ち、キャップの回転のみで閉塞対象穴を開閉できる。
また、このように回転のみでイヤホンキャップを開閉できることで、従来のようにイヤホンキャップの端部に爪を引っかけるための凹部（座繰り部）を筐体側に設ける必要がなく、凹部が小さいと爪が入れづらく、大きいと美観を損ねるといった解決困難な問題は一切生じなくなる。
【００４１】
請求項２記載の発明によれば、ロック手段として、キャップに例えば係合凸部を設け、本体側壁に係合凹部を設けているので、キャップを閉じた場合は、係合凸部と係合凹部とを係合させてロックすることができる。これにより、キャップが不用意に開閉することを防止できる。
【００４２】
請求項３記載の発明によれば、例えば図４（Ａ）〜（Ｃ）に示すように、イヤホンキャップの側面に係合凸部を設け、本体側壁の内部側面に係合凹部を設けている。従って、イヤホンキャップを閉じてロック状態にした場合は、イヤホンキャップの外側面と本体側壁の外側面とが一致するので、外側面の美観をバラツキ無しに確保できる。
【００４３】
請求項４記載の発明によれば、例えば図５（Ａ），（Ｂ）に示すように、閉塞対象穴には逃げ凹部を形成しているので、ロック状態を解除する場合は、引掛切欠辺を押して、係合凸部と係合凹部のロック状態を解除し、イヤホンキャップを回転させ、閉塞対象穴を開くことができる。
【００４４】
請求項５記載の発明によれば、請求項４の場合と同様に、例えば図５（Ａ），（Ｂ）に示すように、閉塞対象穴には逃げ凹部を形成しているので、ロック状態を解除する場合は、引掛切欠辺を押して、係合凸部と係合凹部のロック状態を解除し、イヤホンキャップを回転させ、閉塞対象穴を開くことができる。
【００４５】
請求項６記載の発明によれば、例えば図６（Ａ），（Ｂ）に示すように、閉塞対象穴の中央部に逃げ凹部を形成しているので、ロック状態を解除する場合は、イヤホンキャップの中央部近辺を押して、係合凸部と係合凹部のロック状態を解除し、イヤホンキャップを回転させ、閉塞対象穴を開くことができる。
【００４６】
請求項７記載の発明によれば、例えば図１，図２に示すように、イヤホンマイク・プラグを差し込む際における使い勝手が良く、イヤホンキャップを装着させた際の美観を確保でき、イヤホンキャップの設計上の材質選択幅を広げたイヤホンキャップの装着構造を提供できる。
【図面の簡単な説明】
【図１】本発明の各実施形態を使用した携帯電話機の全体構成を示す斜視図であって、イヤホンキャップを閉じた場合である。
【図２】同各実施形態を使用した携帯電話機の操作部のみを示す斜視図であって、イヤホンキャップを開いた場合である。
【図３】同第１の実施形態を構成する部品を示す図であって、（Ａ）はイヤホンキャップの側面図、（Ｂ）はイヤホンキャップの正面図、（Ｃ）は図１のＩ−Ｉ線に沿う本体側壁の断面図、（Ｄ）は本体側壁の正面図である。
【図４】同第１の実施形態の装着構造を示す図であって、（Ａ）は図１のＩ−Ｉ線に沿う断面図、（Ｂ）は正面図、（Ｃ）はＩＶ−ＩＶ線に沿う要部拡大図である。
【図５】同第２の実施形態の装着構造を示す図であって、（Ａ）は図１のＩ−Ｉ線に沿う断面図、（Ｂ）はイヤホンキャップを押し込んだ場合の図１のＩ−Ｉ線に沿う断面図である。
【図６】同第３の実施形態の装着構造を示す図であって、（Ａ）は図１のＩ−Ｉ線に沿う断面図、（Ｂ）はイヤホンキャップを押し込んだ場合の図１のＩ−Ｉ線に沿う断面図である。
【図７】従来例を示す斜視図であって、（Ａ）はイヤホンキャップを閉じた場合、（Ｂ）はイヤホンキャップを開いた場合である。
【符号の説明】
ＫＤ  折畳式の携帯電話機
１０  表示部
２０  操作部
２１  操作部本体
２１ａ  装着穴
２１ｂ  本体側壁
２１ｃ  係着孔
２１ｄ  係合凹部
２１ｅ，２１ｆ  逃げ凹部
２２  イヤホンキャップ
２２ａ  引掛切欠
２２ｂ  係合凸部
２２ｃ  係着部
２２ｄ  切欠
３０  ヒンジ部
１００  操作部
１０１  操作部本体
１０２  キー
１０３  イヤホンキャップ
１０３ａ  溝
１０３ｂ  係止突起
１０４  イヤホンマイク・ジャック
１０５  イヤホンマイク・プラグ
【図１】
2004311693.tif 000003
【図２】
2004311693.tif 000004
【図３】
2004311693.tif 000005
【図４】
2004311693.tif 000006
【図５】
2004311693.tif 000007
【図６】
2004311693.tif 000008
【図７】
2004311693.tif 000009